(57)【特許請求の範囲】
【請求項１】
地表に適宜間隔で立設された支柱とこの支柱に架設されたフェンスパネルからなる既設フェンスの支柱のみを残してフェンスパネルを除去し、支柱カバーを既設支柱に被嵌して、既設支柱の少なくとも前面を隠蔽し、この支柱カバーに取付金具を介して新設フェンスパネルを取り付けるフェンスの補修方法であって、支柱カバーはリップ溝型となされ、該支柱カバーの開口縁部が既設支柱の背面に当接され、且つ支柱カバーの前面から螺子を螺入させ螺子の先端が既設支柱の正面を押圧し、その反作用で支柱カバーが正面側に引き寄せられて既設支柱に取り付けられると共に、前記取付金具は平面視コ字型で既設支柱の背面に配置され、且つ取付金具の両端部にフェンスパネルと係合する係合部が設けられ、中央部に設けられた雌ねじ部に螺入された螺子の先端が既設支柱の背面に押しつけられ、その反作用で取付金具が背面側に引き寄せられ、もってフェンスパネルが支柱カバーの前面に引き寄せられて固定されるようになされたことを特徴とするフェンスの補修方法。
【請求項２】
前記取付金具には、支柱カバー上端に係合する逆Ｌ型の掛止部が設けられていることを特徴とする請求項１に記載のフェンスの補修方法。
【発明の詳細な説明】
【０００１】
【発明の属する技術分野】
本発明は、老朽化又は破損した既設フエンスを新設フエンスに補修するためのフエンスの補修方法に関するものである。
【０００２】
【従来の技術】
従来、老朽化や破損した既設フエンスを新設フエンスに改修するには色々な方法があった。例えば、フエンスはフエンスパネルとそのフエンスパネルを支持するために路面等に埋設固定された支柱とから構成されるが、第一の方法として、この既設フエンスパネルと既設支柱とを全て除去した後、改めて新設支柱を埋設固定し、この新設支柱に新設フエンスパネルを固定する方法、第二の方法として、既設フエンスパネルを除去すると共に既設支柱の非埋設部分を切断除去した後、残った既設支柱に新設支柱を支持させ、この新設支柱に新設フエンスパネルを固定する方法、第三の方法として、既設支柱を残して既設フエンスパネルのみを除去した後、この既設支柱に新設支柱を被嵌すると共に新設支柱と既設支柱とを貫通ボルトで固定させることにより、新設支柱を既設支柱に固定し、この新設支柱に新設フエンスパネルを固定する方法等がある。又本出願人は特開平１１−２００６６７号公報に第四の方法としてフエンス本体と埋設固定された支持柱とからなる既設フエンスの支持柱のみを残してフエンス本体を除去し、ねじ孔が横設された新設支持柱をその既設支持柱に被嵌して既設支持柱の前面を隠蔽すると共に前記ねじ孔に螺入したボルトの先端で既設支持柱の側面を押圧し、その反作用で前記側面に相対する他方の側面にこの新設支持柱を圧接させることにより、新設支持柱を既設支持柱に固定し、この新設支持柱に新設フエンス本体を取付けるフエンスの改修方法に於いて、新設支持柱は、既設支持柱の前面を隠蔽する前面板と左右の側面板とからなるコ字状体と、その左右の側面板間に上下に適宜間隔をおいて架設された固定ボルトとからなり、前記前面板に横設されたねじ孔より螺入したボルトの先端で既設支持柱の側面を押圧し、その反作用で前記側面に相対する他方の側面に固定ボルトの側部を圧接させることにより、新設支持柱を既設支持柱に固定するフエンスの改修方法及び、第五の方法として新設支持柱は、ねじ孔が横設された筒状体からなり、この新設支持柱を既設支持柱に被嵌し、前記ねじ孔より螺入したボルトの先端で既設の支持柱の側面を押圧し、その反作用で前記側面に相対する他方の側面にこの新設支持柱の内面を圧接させることにより、新設支持柱を既設支持柱に固定するフエンスの改修方法を提案している。
【０００３】
【発明が解決しようとする課題】
しかしながら上記第一の方法においては、埋設固定された既設支持柱を除去して新設支持柱を改めて埋設固定するのは大変な手間であり時間もかかり、又第二の方法においては、既設支持柱の非埋設部分を切断除去する加工が大変な手間であり、さらに第三の方法においては、新設支持柱と既設支持柱とを貫通ボルトで固定するための貫通孔を予め既設支持柱に穿設加工する必要があり、これまた大変な手間である。又、第四の方法に於いては、支柱カバーがコ字状体とこのコ字状体の左右の側面板間に上下に適宜間隔をおいて架設された固定ボルトとからなるため、部品点数が多く、施工が煩瑣であるという問題があった。又、第五の方法に於いては、老朽化した既設支柱が外観に現れないため美観を向上させるものの老朽状態を経日的に観察することが出来ないという問題があった。
【０００４】
そこで本発明者は従来の欠点に鑑み鋭意研究の結果、既設のフェンスを容易に新設フェンスに補修するフェンスの補修方法を提供するものである。
【０００５】
【課題を解決するための手段】
本発明フェンスの補修方法は、地表に適宜間隔で立設された支柱とこの支柱に架設されたフェンスパネルからなる既設フェンスの支柱のみを残してフェンスパネルを除去し、支柱カバーを既設支柱に被嵌して、既設支柱の少なくとも前面を隠蔽し、この支柱カバーに取付金具を介して新設フェンスパネルを取り付けるフェンスの補修方法であって、支柱カバーはリップ溝型となされ、該支柱カバーの開口縁部が既設支柱の背面に当接され、且つ支柱カバーの前面から螺子を螺入させ螺子の先端が既設支柱の正面を押圧し、その反作用で支柱カバーが正面側に引き寄せられて既設支柱に取り付けられると共に、前記取付金具は平面視コ字型で既設支柱の背面に配置され、且つ取付金具の両端部にフェンスパネルと係合する係合部が設けられ、中央部に設けられた雌ねじ部に螺入された螺子の先端が既設支柱の背面に押しつけられ、その反作用で取付金具が背面側に引き寄せられ、もってフェンスパネルが支柱カバーの前面に引き寄せられて固定されるようになされたことを特徴とするものである。
【０００６】
本発明フェンスの補修方法は、地表に適宜間隔で立設された支柱とこの支柱に架設されたフェンスパネルからなる既設フェンスの支柱のみを残してフェンスパネルを除去し、支柱カバーを既設支柱に被嵌して、既設支柱の少なくとも前面を隠蔽し、この支柱カバーに新設フェンスパネルを取り付けるフェンスの補修方法であって、支柱カバーがリップ溝型となされ、この支柱カバーの開口幅が支柱幅より小寸法となされたもので、支柱カバーの取付に必要な部材が少なく、施工が容易である。
【０００７】
本発明フェンスの補修方法は、地表に適宜間隔で立設された支柱とこの支柱に架設されたフェンスパネルからなる既設フェンスの支柱のみを残してフェンスパネルを除去し、支柱カバーを既設支柱に被嵌して、既設支柱の少なくとも前面を隠蔽し、この支柱カバーに新設フェンスパネルを取り付けるフェンスの補修方法であって、この支柱カバーの一部に開口窓が設けられたもので、既設フェンスの支柱の劣化が容易に視認できる。
【０００８】
本発明フェンスの補修方法において、取付金具には、支柱カバー上端に係合する逆Ｌ型の掛止部が設けられるようになされれば、取付金具の位置決めが容易である。
【０００９】
【発明の実施の形態】
以下、図面を参照しながら本発明フェンスの補修方法の第１の例に付いて説明する。
図１は既設フェンスの一例を示す正面図であり、図２は本発明により既設フェンスを新設フェンスに補修した後の設置状態を示す正面図である。図３は図２の支柱部の断面図である。
図に於いて１はフェンスパネルであり、地表に立設された支柱２に架設されている。
【００１０】
この例に於いて、フェンスの補修方法は、既設のフェンスの支柱２のみを残してフェンスパネル１を除去し、既設支柱２に支柱カバー３が取り付けられている。支柱カバー３は、断面リップ溝型となされ、断面ハット型の既設支柱２に被せられている。支柱カバー３はこの例に於いては、その開口縁部が図３に示すように既設支柱２の鍔部２１に当接されている。支柱カバー３は正面壁３１に螺入された螺子４を締め付けることによりこの螺子４の先端が既設支柱２の正面を押圧し、その反作用で支柱カバー３が正面側に引き寄せられ既設支柱２に支柱カバー３が取り付けられている。
【００１１】
支柱カバー３の適宜箇所にはパネル取付金具５が取り付けられこの金具の両端に設けられた係合部５１にフェンスパネル１が係合固着されている。パネル取付金具５は中央に雌ねじが螺設されて雌ねじ部５２となされている。この雌ねじ部５２に押圧螺子５３が螺入され、この押圧螺子５３を締め付けることにより、既設支柱２にこの押圧螺子５３の先端が押しつけられその反作用で、パネル取付金具５が背面側に引き寄せられ、フェンスパネル１が支柱カバー３に引き寄せられて固着される。
【００１２】
次に本発明フェンスの補修方法の第２の例について説明する。図４は本発明により既設フェンスを新設フェンスに補修した後の設置状態を示す正面図である。図５は図４の支柱部の断面図である。この例に於いては支柱カバー３は筒形で既設支柱２の全周を覆っているため既設支柱２が背面からも見えず、外観が優れる。
【００１３】
支柱カバー３の下端には開口窓３２が設けられ、既設支柱２が視認できるようになされている。この例のように既設支柱２の一部が視認できるようになされれば、既設支柱２の劣化の確認が容易である。この開口窓３２は支柱カバー３側壁を切除して開口部を設けるのみでも良いが、透明合成樹脂板や、ガラス板などをはめ込めば支柱カバー３内への雨水の浸入が防げてより好適である。
【００１４】
次に本発明フェンスの補修方法の第３の例について説明する。図６は本発明フェンスの補修方法により既設フェンスを新設フェンスに補修した後の設置状態を示す斜視図である。この例に於いては既設支柱２には角筒状の支柱カバー３が被せられている。この支柱カバー３の頂部に取付金具が設けられ、この取付金具両端の鈎状の係合部５１にフェンスパネル１の横線材が係合固着されている。この取付金具の上縁には逆Ｌ型の掛止部５４が設けられて、支柱２上端に係止されるようになされている。この例によれば、取付金具の取付位置が安定するので、施工が容易である。
【００１５】
【発明の効果】
上記の如く、本発明フェンスの補修方法は、地表に適宜間隔で立設された支柱とこの支柱に架設されたフェンスパネルからなる既設フェンスの支柱のみを残してフェンスパネルを除去し、支柱カバーを既設支柱に被嵌して、既設支柱の少なくとも前面を隠蔽し、この支柱カバーに取付金具を介して新設フェンスパネルを取り付けるフェンスの補修方法であって、支柱カバーはリップ溝型となされ、該支柱カバーの開口縁部が既設支柱の背面に当接され、且つ支柱カバーの前面から螺子を螺入させ螺子の先端が既設支柱の正面を押圧し、その反作用で支柱カバーが正面側に引き寄せられて既設支柱に取り付けられると共に、前記取付金具は平面視コ字型で既設支柱の背面に配置され、且つ取付金具の両端部にフェンスパネルと係合する係合部が設けられ、中央部に設けられた雌ねじ部に螺入された螺子の先端が既設支柱の背面に押しつけられ、その反作用で取付金具が背面側に引き寄せられ、もってフェンスパネルが支柱カバーの前面に引き寄せられて固定されるようになされたことを特徴とするものである。
【００１６】
又、本発明フェンスの補修方法は、地表に適宜間隔で立設された支柱とこの支柱に架設されたフェンスパネルからなる既設フェンスの支柱のみを残してフェンスパネルを除去し、支柱カバーを既設支柱に被嵌して、既設支柱の少なくとも前面を隠蔽し、この支柱カバーに新設フェンスパネルを取り付けるフェンスの補修方法であって、支柱カバーがリップ溝型となされ、この支柱カバーの開口幅が支柱幅より小寸法となされたもので、支柱カバーの取付に必要な部材が少なく、施工が容易である。
【００１７】
又、本発明フェンスの補修方法は、地表に適宜間隔で立設された支柱とこの支柱に架設されたフェンスパネルからなる既設フェンスの支柱のみを残してフェンスパネルを除去し、支柱カバーを既設支柱に被嵌して、既設支柱の少なくとも前面を隠蔽し、この支柱カバーに新設フェンスパネルを取り付けるフェンスの補修方法であって、この支柱カバーの一部に開口窓が設けられたもので、既設フェンスの支柱の劣化が容易に視認できる。
【００１８】
又、本発明フェンスの補修方法において、取付金具には、支柱カバー上端に係合する逆Ｌ型の掛止部が設けられるようになされれば、取付金具の位置決めが容易である。
【図面の簡単な説明】
【図１】既設フェンスの一例を示す正面図である。
【図２】既設フェンスを新設フェンスに補修した後の設置状態の第１の例を示す正面図である。
【図３】図２の支柱部の断面図である。
【図４】既設フェンスを新設フェンスに補修した後の設置状態の第２の例を示す正面図である。
【図５】図４の支柱部の断面図である。
【図６】既設フェンスを新設フェンスに補修した後の設置状態の第３の例を示す斜視図である。
【符号の説明】
１    フェンスパネル
２    支柱
２１  鍔部
３    支柱カバー
３１  正面壁
３２  開口窓
４    螺子
５    パネル取付金具
５１  係合部
５２  雌ねじ部
５３  押圧螺子
５４  掛止部
【図１】
0004079616.tif 000002
【図２】
0004079616.tif 000003
【図３】
0004079616.tif 000004
【図４】
0004079616.tif 000005
【図５】
0004079616.tif 000006
【図６】
0004079616.tif 000007